(57)【要約】【課題】正確な測定に寄与する測定スティック、及び、この測定スティックを用いた測定装置を提供する。【解決手段】ベース部材５４Ａは、略平行四辺形の板状とされており、長尺の２端辺が誘電体ブロック５２の長尺方向Ｎと平行になるように配置されている。ベース部材５４Ａは、ベース部材５４Ａの長尺方向Ｎに沿った中心線と、誘電体ブロック５２の長尺方向Ｎに沿った中心線Ｍとが一致するように誘電体ブロック５２上に配置される。【選択図】図７
2008064485.tif 000002
【特許請求の範囲】
【請求項１】
上面に測定面の構成された長尺の誘電体ブロックと、
前記誘電体ブロックの前記長尺方向と直交する幅方向に並ぶように配置され前記長尺方向に沿った中心線に対して傾斜した少なくとも２本の流路溝が形成され、前記測定面と密着して前記測定面と前記流路溝とにより液体流路を構成する流路部材と、
を備え、
各々の前記液体流路内には光ビームが照射される光照射領域が構成され、各々の前記液体流路内における前記光照射領域を含んだ前記幅方向の全幅領域は、前記流路部材の前記中心線を挟んで両側が対称形状とされていること、を特徴とする測定スティック。
【請求項２】
前記全幅領域における前記幅方向の長さは、前記流路部材の前記幅方向の長さの最大値であること、を特徴とする請求項１に記載の測定スティック。
【請求項３】
前記流路部材は、前記中心線を挟んだ両側が同一形状とされていること、を特徴とする請求項１または請求項２に記載の測定スティック。
【請求項４】
請求項１乃至請求項３のいずれか１項に記載の測定スティックを用いて生理活性物質と化合物との相互作用を測定する測定装置であって、
前記測定スティックの前記流路部材を上部から押圧して前記誘電体ブロックの測定面に密着させる押圧部材と、
前記液体流路へアクセスして液体の供給を行う液体供給部材と、
前記光照射領域へ光ビームを照射する光照射手段と、
前記光照射領域で反射された光ビームを受光する受光手段と、
を備えた測定装置。
【発明の詳細な説明】
【技術分野】
【０００１】
本発明は、液体流路内に構成された光照射領域へ光を照射して測定データを得る測定装置、及び、この測定装置に用いられる測定スティックに関する。
【背景技術】
【０００２】
従来から、測定セル上にリガンドとしての生理活性物質を固定し、リガンドの固定された部分に流路を構成して、この流路にアナライトを含んだ化合物溶液を供給すると共に、流路の逆側から光ビームを入射させることにより、リガンドとアナライトとの相互作用を測定することが行われている（特許文献１参照）。ここでの流路は、流路溝の形成された流路部材を測定セル上に密着させて構成されている。
【０００３】
ところで、流路を構成する流路部材は、前述の流路溝を形成するための部材であり、通常、流路に沿った外形を有している。したがって、流路が測定セルの測定面の中心線に平行でない場合、すなわち測定セルの中心線に対して傾斜している場合には、流路部材の外形も測定セルの中心に対して傾斜している。そのため、測定セル上に流路部材を密着させるために押圧力を加えると、押圧力による測定セルの変形に偏りが生じて、測定が不正確になる可能性がある。
【特許文献１】特許第３４６８０９１号
【発明の開示】
【発明が解決しようとする課題】
【０００４】
本発明は上記事実を考慮してなされたものであり、正確な測定に寄与する測定スティック、及び、この測定スティックを用いた測定装置を提供することを目的とする。
【課題を解決するための手段】
【０００５】
上記課題を解決するために、本発明の請求項１に記載の測定スティックは、上面に測定面の構成された長尺の誘電体ブロックと、前記誘電体ブロックの前記長尺方向と直交する幅方向に並ぶように配置され前記長尺方向に沿った中心線に対して傾斜した少なくとも２本の流路溝が形成され、前記測定面と密着して前記測定面と前記流路溝とにより液体流路を構成する流路部材と、を備え、各々の前記液体流路内には光ビームが照射される光照射領域が構成され、各々の前記液体流路内における前記光照射領域を含んだ前記幅方向の全幅領域は、前記流路部材の前記中心線を挟んで両側が対称形状とされていること、を特徴とする。
【０００６】
本発明の測定スティックは、誘電体ブロックと流路部材とを備えている。誘電体ブロックは長尺とされ、上面に測定面が構成されている。流路部材は、誘電体ブロックの測定面と密着して液体流路を構成する部材である。
【０００７】
流路部材には、誘電体ブロックの幅方向に並ぶように少なくとも２本の流路溝が形成されている。この流路溝は、誘電体ブロックの中心線に対して傾斜している。すなわち、中心線と平行になっていない部分を有している。なお、流路溝は、直線状でもよいし、湾曲、屈曲形状でもよい。この流路溝と測定面との間に液体流路が構成され、液体流路内の中心線付近に光照射領域が構成される。
【０００８】
ところで、前述の液体流路を構成する際には、流路部材と誘電体ブロックとを密着させるために、流路部材と誘電体ブロックとの間に押圧力を作用させる。このため、誘電体ブロックの測定面に変形が生じることが、出願人の調査により判明している。
【０００９】
そこで、本発明では、光照射領域を含んだ幅方向の全幅領域において、中心線を挟んだ両側の流路部材を対称形状とした。この構成によれば、光照射領域において、誘電体ブロックの幅方向の変形が、中心線を挟んだ両側でほぼ同様の変形となる。したがって、幅方向に並べて配置された液体流路の光照射領域間の変形の差異が少なくなり、正確に測定をおこなうことができる。
【００１０】
本発明の請求項２に記載の測定スティックは、前記全幅領域における前記幅方向の長さが、前記流路部材の前記幅方向の長さの最大値であること、を特徴とする。
【００１１】
上記構成によれば、光照射領域を含んだ全幅領域の幅方向が、流路部材のとりうる最大幅となるので、全幅領域に対応した部分の流路部材が誘電体ブロックの幅方向に接する面積も大きくなる。したがって、押圧力が分散されて誘電体ブロックの変形量が減少し、より正確に測定を行うことができる。
【００１２】
本発明の請求項３に記載の測定スティックは、前記流路部材が、前記中心線を挟んだ両側が同一形状とされていること、を特徴とする。
【００１３】
上記構成によれば、流路部材の全体が中心線を挟んだ両側で同一形状とされているので、誘電体ブロックの変形を中心線を挟んだ両側でほぼ同一の状態とすることができる。したがって、より正確に測定を行うことができる。
【００１４】
本発明の請求項４に記載の測定装置は、請求項１乃至請求項３のいずれか１項に記載の測定スティックを用いて生理活性物質と化合物との相互作用を測定する測定装置であって、前記測定スティックの前記流路部材を上部から押圧して前記誘電体ブロックの測定面に密着させる押圧部材と、前記液体流路へアクセスして液体の供給を行う液体供給部材と、
前記光照射領域へ光ビームを照射する光照射手段と、前記光照射領域で反射された光ビームを受光する受光手段と、を備えている。
【００１５】
本発明の測定装置によれば、光照射領域における誘電体ブロックの変形が、中心線を挟んだ両側でほぼ同様の変形となる測定スティックが用いられているので、正確に測定をおこなうことができる。
【発明の効果】
【００１６】
本発明は上記構成としたので、正確な測定に寄与する測定スティック、及び、この測定スティックを用いた測定装置を提供することができる。
【発明を実施するための最良の形態】
【００１７】
以下、図面を参照しながら本発明の実施形態について説明する。
【００１８】
本発明に係る測定装置としてのバイオセンサー１０は、金属膜の表面に発生する表面プラズモン共鳴を利用して、タンパクＴａと試料Ａとの相互作用を測定する、いわゆる表面プラズモンセンサーである。本発明に係る測定スティック上にタンパクＴａを固定し、このタンパクＴａへ試料Ａを供給して信号変化を検出することにより、相互作用を測定する。
【００１９】
図１〜図３に示すように、バイオセンサー１０は、分注ヘッド２０、測定部３０、試料ストック部４０、ピペットチップストック部４２、バッファストック部４４、冷蔵部４６、測定スティックストック部４８、ラジエータ６０を備えている。
【００２０】
試料ストック部４０は、試料積層部４０Ａ及び試料セット部４０Ｂで構成されている。試料積層部４０Ａには、個々のセルに各々異なるアナライト溶液をストックする試料プレート４０Ｐが、Ｚ方向に積層されて収容されている。試料セット部４０Ｂには、１枚の試料プレート４０Ｐが、図示しない搬送機構により試料積層部４０Ａから搬送されてセットされる。
【００２１】
ピペットチップストック部４２は、ピペットチップ積層部４２Ａ及びピペットチップセット部４２Ｂで構成されている。ピペットチップ積層部４２Ａには、複数のピペットチップを保持するピペットチップストッカー４２Ｐが、Ｚ方向（鉛直方向）に積層されて収容されている。ピペットチップセット部４２Ｂには、１枚のピペットチップストッカー４２Ｐが、図示しない搬送機構によりピペットチップ積層部４２Ａから搬送されてセットされる。
【００２２】
バッファストック部４４は、ボトル収容部４４Ａ及びバッファ供給部４４Ｂで構成されている。ボトル収容部４４Ａには、バッファー液が貯留された複数本のボトル４４Ｃが収容されている。バッファ供給部４４Ｂには、バッファプレート４４Ｐがセットされている。バッファプレート４４Ｐは、複数筋に区画されており、各々の区画には濃度の異なるバッファー液が貯留されている。また、バッファプレート４４Ｐの上部には、分注ヘッド２０のアクセス時にピペットチップＣＰが挿入される孔Ｈが構成されている。バッファプレート４４Ｐへは、ホース４４Ｈによりボトル４４Ｃからバッファ液が供給される。
【００２３】
バッファ供給部４４Ｂの隣には、補正用プレート４５が配置され、その隣に冷蔵部４６が配置されている。補正用プレート４５は、バッファー液の濃度調整を行うためのプレートであり、マトリクス状に複数セルが構成されている。冷蔵部４６には、冷蔵の必要な試料が配置される。冷蔵部は低温とされており、この上で試料は低温状態に保たれる。
【００２４】
測定スティックストック部４８には、測定スティック収容プレート４８Ｐがセットされている。測定スティック収容プレート４８Ｐには、測定スティック５０が複数本収納されている。
【００２５】
測定スティックストック部４８と測定部３０との間には、測定スティック搬送機構４９が備えられている。測定スティック搬送機構４９は、測定スティック５０を両側から挟み込んで保持する保持アーム４９Ａ、回転により保持アーム４９ＡをＹ方向に移動させるボールねじ４９Ｂ、Ｙ方向に配置され、測定スティック５０が載せられる搬送レール４９Ｃ、を含んで構成されている。測定の際には、１本の測定スティック５０が測定スティック搬送機構４９により測定スティック収容プレート４８Ｐから搬送レール４９Ｃ上に載せられ、保持アーム４９Ａにより挟持されつつ測定部３０へ移動してセットされる。
【００２６】
測定スティック５０は、図４及び図５に示すように、誘電体ブロック５２、流路部材５４、及び、保持部材５６、で構成されている。
【００２７】
誘電体ブロック５２は、光ビームに対して透明な透明樹脂等で構成されており、断面が台形の棒状とされたプリズム部５２Ａ、及び、プリズム部５２Ａの両端部にプリズム部５２Ａと一体的に形成された被保持部５２Ｂを備えている。プリズム部５２Ａは長尺とされており、この長尺方向を矢印Ｎで、長尺方向と直交する幅方向を矢印Ｗで示す。
【００２８】
プリズム部５２Ａの互いに平行な２面の内の広い側の測定面には、金属膜５７が形成されている。誘電体ブロック５２は、いわゆるプリズムとして機能し、バイオセンサー１０での測定の際には、プリズム部５２Ａの対向する互いに平行でない２つの側面の内の一方から光ビームが入射され、他方から金属膜５７との界面で全反射された光ビームが出射される。
【００２９】
金属膜５７の表面には、タンパクＴａを金属膜５７上に固定化するための、リンカー層５７Ａが形成されている。
【００３０】
プリズム部５２Ａの両側面には、上側の端辺に沿って保持部材５６と係合される係合凸部５２Ｃが形成されている。また、プリズム部５２Ａの下側には、側端辺に沿って搬送用レール４９Ｃと係合されるフランジ部５２Ｄが形成されている。
【００３１】
図５に示すように、流路部材５４は、６個のベース部材５４Ａを備えている。ベース部材５４Ａは、略平行四辺形の板状とされており、長尺の２端辺が誘電体ブロック５２の長尺方向Ｎと平行になるように配置されている。ベース部材５４Ａは、ベース部材５４Ａの長尺方向Ｎに沿った中心線と、誘電体ブロック５２の長尺方向Ｎに沿った中心線（以下「中心線Ｍ」という）とが一致するように誘電体ブロック５２上に配置される。
【００３２】
ベース部材５４Ａの各々には４本の円筒部材５４Ｂが立設されている。ベース部材５４Ａは、３個のベース部材５４Ａ毎に、立設された円筒部材５４Ｂのうちの１本の上部が連結部材５４Ｄによって連結されている。流路部材５４は、軟質で弾性変形可能な材料、例えば非晶質ポリオフィレンエラストマーで構成することができる。
【００３３】
ベース部材５４Ａには、図６及び図７に示すように、底面側に略Ｓ字状の２本の流路溝５４Ｃが形成されている。流路溝５４Ｃは、誘電体ブロック５２の幅方向Ｗに２本が並ぶように形成されている。また、流路溝５４Ｃは、Ｓ字状であることから、誘電体ブロック５２の長尺方向Ｎに沿った中心線Ｍに対して傾斜している（角度を有している）。
【００３４】
流路溝５４Ｃの端部の各々は１の円筒部材５４Ｂの中空部と連通されている。ベース部材５４Ａは、底面が誘電体ブロック５２の測定面（上面）と密着され、流路溝５４Ｃと誘電体ブロック５２の測定面との間に構成される空間と前記中空部とで、液体流路５５が構成される。１個のベース部材５４Ａには、２本の液体流路５５が構成される。各々の液体流路５５において、円筒部材５４Ｂの上端面に液体流路５５の出入口５３が構成される。
【００３５】
ここで、２本の液体流路５５のうち、１本は測定流路５５Ａとして用いられ、他の１本は参照流路５５Ｒとして用いられる。測定流路５５Ａの金属膜５７上（リンカー層５７Ａ上）にはタンパクＴａが固定され、参照流路５５Ｒの金属膜５７上（リンカー層５７Ａ上）にはタンパクＴａが固定されない状態で測定が行われる。測定流路５５Ａ及び参照流路５５Ｒには、図６に示すように、各々光ビームＬ１、Ｌ２が入射される。光ビームＬ１、Ｌ２は、図７に示すように、ベース部材５４Ａの中心線Ｍ上に配置されるＳ字の屈曲部分に照射される。以下、測定流路５５Ａにおける光ビームＬ１の照射領域を測定領域Ｅ１、参照流路５５Ｒにおける光ビームＬ２の照射領域を参照領域Ｅ２という。参照領域Ｅ２は、タンパクＴａの固定された測定領域Ｅ１から得られるデータを補正するための測定を行う領域である。
【００３６】
図７に示すように、測定領域Ｅ１を含む流路部材５４の幅方向Ｗの両端辺までの全幅を含む全幅領域Ｚ１、及び、参照領域Ｅ２の幅方向Ｗの両端辺までの全幅を含む流路部材５４の全幅領域Ｚ２は、中心線Ｍを挟んで対称形状とされている。
【００３７】
測定スティック５０の保持部材５６は、長尺とされ、上面部材５６Ａ及び２枚の側面板５６Ｂが蓋状に構成された形状とされている。側面板５６Ｂには、誘電体ブロック５２の係合凸部５２Ｃと係合される係合孔５６Ｃ、及び、光ビームＬ１、Ｌ２の光路に対応する部分に窓５６Ｄが形成されている。保持部材５６は、係合孔５６Ｃと係合凸部５２Ｃとが係合されて、誘電体ブロック５２に取り付けられる。流路部材５４は、保持部材５６と一体成形されており、保持部材５６と誘電体ブロック５２の間に配置される。
【００３８】
図８に示すように、測定部３０において、測定スティック５０は後述する光学定盤３２上にセットされ、上側から押さえ部材８０により押圧される。この押圧により、流路部材５４と誘電体ブロック５２とが密着されて、液体流路５５が構成される。
【００３９】
上面部材５６Ａには、流路部材５４の円筒部材５４Ｂに対応する位置に、受部５９が形成されている。受部５９は略円筒状とされている。
【００４０】
図１及び図３に示すように、分注ヘッド２０は、水平駆動機構２２により矢印Ｘ方向に移動可能とされている。水平駆動機構２２は、ボールねじ２２Ａ、モータ２２Ｂ、ガイドレール２２Ｃにより構成されている。ボールねじ２２Ａ及びガイドレール２２Ｃは、Ｘ方向に配置されている。ガイドレール２２Ｃは平行に２本配置され、そのうちの１本はボールねじ２２Ａの下側に所定間隔離れて配置されている。分注ヘッド２０は、ボールねじ２２Ａの回転により、ガイドレール２２Ｃに沿ってＸ方向に移動される。
【００４１】
分注ヘッド２０には、分注ヘッド２０を矢印Ｚ方向に移動させる鉛直駆動機構２４が設けられている。鉛直駆動機構２４は、図９に示すように、モータ２４Ａ及びＺ方向に配置された駆動軸２４Ｂを含んで構成され、分注ヘッド２０をＺ方向に移動させる。
【００４２】
図９に示すように、分注ヘッド２０は、１２本の分注管２０Ａを備えている。分注管２０Ａは、Ｘ方向と直交する矢印Ｙ方向に沿って１列に配置されている。分注管２０Ａは、隣り合う２本で一対とされ、一方が液体供給用、他方が液体排出用とされている。分注管２０Ａの先端部には、ピペットチップＣＰが取り付けられる。ピペットチップＣＰは、ピペットチップストッカー４２Ｐにストックされており、必要に応じて交換可能とされている。
【００４３】
測定時には、分注管２０Ａにより、測定スティック５０へ試料やバッファー液が供給される。これらの液体の供給は、分注ヘッド２０を、保冷部４６、試料セット部４０Ａ、バッファ供給部４４Ｂ上へ移動させ、液体供給用の６本の分注管２０Ａに取り付けられたピペットチップＣＰで試料やバッファー液を吸引する。このときの吸引量は、２本分の流路に供給するための量である。そして、試料やバッファー液を吸引した６本の分注管２０Ａ側のピペットチップＣＰを、測定スティック５０の測定流路５５Ａ側の片方の出入口５３（以下「供給口５３Ａ」という）へ挿入すると共に、排出用の６本の分注管２０Ａに取り付けられたピペットチップＣＰを他方の出入口５３（以下「排出口５３Ｂ」という）へ挿入する。そして、供給口５３Ａ側の分注管２０Ａから半量の液体を吐出すると共に、排出口５３Ｂ側の分注管２０Ａで液体を吸入することにより行われる。続いて、参照流路５５Ｒ側へも、同様にしてピペットチップＣＰの残り半量の液体が供給される。
【００４４】
図３に示すように、測定部３０は、光学定盤３２、光出射部３４、受光部３６を含んで構成されている。光学定盤３２には、図８にも示すように、側方向から見て、上部中央の水平平面で構成される上部台３２Ａ、上部台３２Ａから離れる方向に向かって低くなる出射傾斜部３２Ｂ、上部台３２Ａを挟んで出射傾斜部３２Ｂと逆側に配置される受光傾斜部３２Ｃが形成されている。上部台３２Ａには、Ｙ方向沿って測定スティック５０がセットされる。光学定盤３２の出射傾斜部３２Ｂには、測定スティック５０へ向かって光ビームＬ１、Ｌ２を出射する光出射部３４が設置されている。また、受光傾斜部３２Ｃには、受光部３６が設置されている。光学定盤３２の隣には、光学定盤３２を冷却する水冷ジャケット３２Ｊが設けられている（図３参照）。
【００４５】
図８に示すように、光出射部３４には、光源３４Ａ、レンズユニット３４Ｂが備えられている。また、受光部３６には、レンズユニット３６Ａ、ＣＣＤ３６Ｂが備えられている。光源３４Ａは制御部７０と接続され、ＣＣＤ３６Ｂは信号処理部３８及び制御部７０と接続されている。
【００４６】
光源３４Ａからは、発散状態の光ビームＬが出射される。光ビームＬは、レンズユニット３４Ｂを介して、２本の光ビームＬ１、Ｌ２となり、光学定盤３２上に配置された誘電体ブロック５２の測定領域Ｅ１と参照領域Ｅ２に入射される。測定領域Ｅ１及び参照領域Ｅ２において、光ビームＬ１、Ｌ２は、金属膜５７と誘電体ブロック５２との界面に対して種々の入射角成分を含み、かつ全反射角以上の角度で入射される。光ビームＬ１、Ｌ２は、誘電体ブロック５２と金属膜５７との界面で全反射される。全反射された光ビームＬ１、Ｌ２も、種々の反射角成分をもって反射される。この全反射された光ビームＬ１、Ｌ２は、レンズユニット３６Ａを経てＣＣＤ３６Ｂで受光されて、各々光電変換され、光検出信号が信号処理部３８へ出力される。信号処理部３８では、入力された光検出信号に基づいて所定の処理が行なわれ、測定領域Ｅ１及び参照領域Ｅ２での屈折率変化データが求められる。
【００４７】
ここでの屈折率変化データは、全反射された光ビームＬ１、Ｌ２の暗線位置に基づいて求められるものである。金属膜５７の界面に、特定の入射角で入射した光ビームＬ１、Ｌ２は、金属膜５７とタンパクＴａとの界面に表面プラズモンを励起させ、これにより、この入射角で入射した光ビームＬ１、Ｌ２の反射光の強度が鋭く低下して暗線として観察される。この暗線となる光ビームＬ１、Ｌ２の入射角が全反射減衰角θＳＰであり、タンパクＴａと試料Ａとの反応に応じた全反射減衰角θＳＰの変化が、屈折率変化データとなる。屈折率変化データが制御部７０へ出力され、タンパクＴａと試料Ａとの反応が測定される。
【００４８】
バイオセンサー１０には、ラジエータ６０が設けられている。ラジエータ６０には、循環ホース６６が連結されサーキュレータ６８と連結されている。循環ホース６６は、光学定盤３２を冷却するための水冷ジャケット３２Ｊにも連結され、サーキュレータ６８により温調水の循環が行われている。
【００４９】
次に、本実施形態での液体流路５５の変形について説明する。
【００５０】
測定スティック５０は、測定のために光学定盤３２上にセットされた後、押さえ部材８０により上部から押圧される。この押圧により、流路部材５４と誘電体ブロック５２とが密着されて、液体流路５５が構成される。このとき、押圧により誘電体ブロック５２の上面は変形する。本実施形態では、図７に示すように、全幅領域Ｚ１、及び、全幅領域Ｚ２は、中心線Ｍを挟んだ両側が対称形状とされている。したがって、図１１に示すように液体流路５５に沿った形状とされている場合と異なり、誘電体ブロックの幅方向Ｗの変形が、中心線Ｍを挟んだ両側でほぼ同様の変形となる。したがって、幅方向Ｗに並ぶように配置された液体流路５５の測定領域Ｅ１、参照領域Ｅ２間の変形の差異が少なくなり、正確に測定をおこなうことができる。
【００５１】
また、押さえ部材８０には、図８に示すように、ピペットアクセス用の孔８０Ａが形成されており、この孔８０ＡへピペットチップＣＰが挿入される。このとき、流路部材５４が押されて誘電体ブロック５２が変形するが、この場合にも、全幅領域Ｚ１、及び、全幅領域Ｚ２は、中心線Ｍを挟んだ両側でほぼ同様の変形とすることができる。
【００５２】
なお、本実施形態では、流路部材５４のベース部材５４Ａを略平行四辺形の板状としたが、ベース部材は、図１０に示すように、全幅領域Ｚ１、及び、全幅領域Ｚ２以外の部分については液体流路５５に沿った形状としてもよい（ベース部材５４Ｑ）。特に、略平行四辺形状とすることにより、ベース部材５４Ａの中心線Ｍを挟んで両側が同一形状となり、誘電体ブロック５２の変形をより均一化することができる。
【００５３】
なお、本実施形態では、測定装置として、表面プラズモンセンサーを一例として説明したが、測定装置としては、表面プラズモンセンサーに限定されるものではない。その他の例えば、水晶発振子マイクロバランス（ＱＣＭ）測定技術、金のコロイド粒子から超微粒子までの機能化表面を使用した光学的測定技術など、あらゆるバイオセンサーに本発明は適用することができる。
【００５４】
また、全反射減衰を利用する他のバイオセンサーとしては、漏洩モード検出器をあげることができる。漏洩モードセンサは、誘電体と、この上に順に層設されたクラッド層と光導波層とによって構成された薄膜とからなり、この薄膜の一方の面がセンサ面となり、他方の面が光入射面となる。光入射面に全反射条件を満たすように光を入射させると、その一部が前記クラッド層を透過して前記光導波層に取り込まれる。そして、この光導波層において、導波モードが励起されると、前記光入射面における反射光が大きく減衰する。導波モードが励起される入射角は、表面プラズモン共鳴角と同様に、センサ面上の媒質の屈折率に応じて変化する。この反射光の減衰を検出することにより、前記センサ面上の反応を測定することができる。
【図面の簡単な説明】
【００５５】
【図１】本発明に係る実施形態のバイオセンサーの内部の斜視図である。
【図２】本発明に係る実施形態のバイオセンサーの内部の上面図である。
【図３】本発明に係る実施形態のバイオセンサーの内部の側面図である。
【図４】本発明に係る実施形態の測定スティックの斜視図である。
【図５】本発明に係る実施形態の測定スティックの分解斜視図である。
【図６】本発明に係る実施形態の測定スティックの測定領域及び参照領域へ光ビームが入射している状態を示す図である。
【図７】本発明に係る実施形態の測定スティックの１の流路部材を下側からみた図である。
【図８】本発明に係る実施形態のバイオセンサーの測定部付近の概略図である。
【図９】本発明に係る実施形態のバイオセンサーの分注ヘッドの鉛直駆動機構を示す斜視図である。
【図１０】本発明に係る実施形態の測定スティックの変形例の１の流路部材を下側からみた図である。
【図１１】液体流路に沿って流路部材の外形を形成した場合の一例を示す図である。
【符号の説明】
【００５６】
１０  バイオセンサー
３０  測定部
３４  光出射部
３６  受光部
５０  測定スティック
５４  流路部材
５５  液体流路
８０  押さえ部材
Ｍ  中心線
Ｎ  長尺方向
Ｗ  幅方向
Ｚ１  全幅領域
Ｚ２  全幅領域
【図１】
2008064485.tif 000003
【図２】
2008064485.tif 000004
【図３】
2008064485.tif 000005
【図４】
2008064485.tif 000006
【図５】
2008064485.tif 000007
【図６】
2008064485.tif 000008
【図７】
2008064485.tif 000009
【図８】
2008064485.tif 000010
【図９】
2008064485.tif 000011
【図１０】
2008064485.tif 000012
【図１１】
2008064485.tif 000013